(57)【特許請求の範囲】
【請求項１】
噴霧室を有する本体と、該本体の先端部に設けられ、前記噴霧室に連通するフードと、該本体の底部に着脱自在に装着され、前記噴霧室に試験ガスを噴出するガスボンベと、該ガスボンベの弁制御手段と、を備えた煙感知器の加煙試験器において；
前記本体と前記ガスボンベに、互いに螺合するねじ部を設け、
前記本体に一端を固定し、前記ガスボンベに他端を固定した、前記ねじ部の緩みを進行させない、連結具を設けたことを特徴とする煙感知器の加煙試験器。
【請求項２】
噴霧室を有する本体と、該本体の先端部に設けられ、前記噴霧室に連通するフードと、該本体に回動自在に設けられた支持棒取付具と、該本体の底部に着脱自在に装着され、前記噴霧室に試験ガスを噴出するガスボンベと、該ガスボンベの弁制御手段と、を備えた煙 感知器の加煙試験器において；
前記支持棒取付具が、変位範囲を規制するストッパ部を備え、
前記本体に前記ストッパの当接する上下の振り角規制部が設けられ、
前記上振り角規制部が、前記フードの固定部に設けられた突片であることを特徴とする煙感知器の加煙試験器。
【請求項３】
噴霧室を有する本体と、該本体の先端部に設けられ、前記噴霧室に連通するフードと、該本体に回動自在に設けられた支持棒取付具と、該本体の底部に着脱自在に装着され、前記噴霧室に試験ガスを噴出するガスボンベと、該ガスボンベの弁制御手段と、を備えた煙感知器の加煙試験器において；
前記支持棒取付具が、略Ｖ字状のフレームを備え、
前記フレームは、該フレームの変位範囲を規制するストッパである棒状体と、該棒状体が装着される長穴のストッパ穴を有する平行腕部と、支持棒を固定する固定部と、を備えていることを特徴とする煙感知器の加煙試験器。
【請求項４】
噴霧室を有する本体と、該本体の先端部に設けられ、前記噴霧室に連通するフードと、該本体の底部に着脱自在に装着され、前記噴霧室に試験ガスを噴出するガスボンベと、該ガスボンベの弁制御手段と、を備えた煙感知器の加煙試験器において；
前記ガスボンベの弁制御手段が、本体のワイヤ挿通穴を通るワイヤを備えており、
該ワイヤ挿通孔が、前記ワイヤより柔らかい材料で形成されていることを特徴とする煙感知器の加煙試験器。
【発明の詳細な説明】
【０００１】
【発明の属する技術分野】
この発明は、煙感知器の定期点検等に用いられる加煙試験装置に関するものである。
【０００２】
【従来の技術】
従来の加煙試験器は、噴霧室を有する本体と、該本体の先端部に設けられ、前記噴霧室に連通するフードと、該本体に回動自在に設けられた支持棒取付具と、該本体の底部に着脱自在に装着され、前記噴霧室に試験ガスを噴出するガスボンベと、該ガスボンベの弁制御手段と、を備えている。
【０００３】
前記支持棒取付具は、コ字状の取付枠を有しており、前記ガスボンベは、本体にねじ止めされるコ字状のフレームの中に、ボンベ固定具を介して固定されている。
又、ガスボンベの弁制御手段は、ノズル押下体を引っ張る操作ワイヤを備えているが、この操作ワイヤは、本体のワイヤ挿通孔に挿入されている。
【０００４】
煙感知器の作動試験をするときには、支持棒を伸ばして支持棒取付具と本体を介して設けられたフードを検査対象の煙感知器に向かって上昇させ、天井面に当接させて、該煙感知器を覆う。
ノズル押下体を該煙感知器に押しつけるか、又は、操作ワイヤを引っ張って、ガスボンベの弁を開き、試験ガスを噴霧室に噴出させ、疑似火災発煙状態を作りだし、該煙感知器の作動をチェックしている。
【０００５】
【発明が解決しようとする課題】
従来例には、次の様な問題がある。
（１）支持棒取付具のコ字状の取付枠は、その底辺がボンベガスの直径より長いので、その両隅部がものに引っかかって傷つけたり、直径方向に張り出しているので、狭い場所での作業性が良くない。
【０００６】
（２）ガスボンベを本体に固定するために、ガスボンベをコ字状に囲むフレーム、ねじ等の部品が必要であり、携帯上かさばる上、重く、又、本体の直径も取付枠にあわせて大きくしなければならない。更に、ガスボンベを該フレームに着脱するのは、面倒である。
（３）フードを天井面等に押し付け煙感知器を覆う際、フードはシリコンなどの柔らかい材料で形成されているため、フードの本体との取付部が拡径し、位置ずれが生じたり、不必要に押し込まれたりすることがある。
【０００７】
（４）支持棒取付具を下に振ったとき、支持棒取付具や支持棒がガスボンベに衝突しボンベを傷めたり、又、上に振ったとき、支持棒取付具がフードに当接しフードを押し上げ、該フードが外れることがある。
（５）操作ワイヤを操作すると、ワイヤ挿通孔と摩擦が生じ、該ワイヤがささくれたりして破損する。そのため、操作者の手を傷つけることがある。
【０００８】
この発明は、上記事情に鑑み、ガスボンベの着脱を容易にし、小型軽量にすることを目的とする。他の目的は、フードの取付部の外方変形を防止すると共に、操作ワイヤの破損を防止することである。
【０００９】
【課題を解決するための手段】
この発明は、噴霧室を有する本体と、該本体の先端部に設けられ、前記噴霧室に連通するフードと、該本体に着脱自在に装着され、前記噴霧室に試験ガスを噴出するガスボンベと、該ガスボンベの弁制御手段と、を備えた煙感知器の加煙試験器において；前記本体と前記ガスボンベに、互いに螺合するねじ部を設け、前記本体に一端を固定し、前記ガスボンベに他端を固定した、前記ねじ部の緩みを進行させない、連結具を設けたことを特徴とする。
【００１１】
この発明は、噴霧室を有する本体と、該本体の先端部に設けられ、前記噴霧室に連通するフードと、該本体に回動自在に設けられた支持棒取付具と、該本体の底部に着脱自在に装着され、前記噴霧室に試験ガスを噴出するガスボンベと、該ガスボンベの弁制御手段と、を備えた煙感知器の加煙試験器において；前記支持棒取付具が、変位範囲を規制するストッパ部を備え、前記本体に前記ストッパの当接する上下の振り角規制部が設けられ、前記上振り角規制部が、前記フードの固定部に設けられた突片であることを特徴とする。
【００１２】
この発明は、噴霧室を有する本体と、該本体の先端部に設けられ、前記噴霧室に連通するフードと、該本体に回動自在に設けられた支持棒取付具と、該本体の底部に着脱自在に装着され、前記噴霧室に試験ガスを噴出するガスボンベと、該ガスボンベの弁制御手段と、を備えた煙感知器の加煙試験器において；
前記支持棒取付具が、略Ｖ字状のフレームを備え、前記フレームは該フレームの変位範囲を規制するストッパである棒状体と、該棒状体が装着される長穴のストッパ穴を有する平行腕部と、支持棒を固定する固定部と、を備えていることを特徴とする。
【００１３】
この発明は、噴霧室を有する本体と、該本体の先端部に設けられ、前記噴霧室に連通するフードと、該本体の底部に着脱自在に装着され、前記噴霧室に試験ガスを噴出するガスボンベと、該ガスボンベの弁制御手段と、を備えた煙感知器の加煙試験器において；前記ガスボンベの弁制御手段が、本体のワイヤ挿通穴を通るワイヤを備えており、該ワイヤ挿通孔が、前記ワイヤより柔らかい材料で形成されていることを特徴とする。
【００１４】
【発明の実施の形態】
この発明は、本体とガスボンベに、互いに螺合するねじ部を設け、両者を螺着することにより着脱を容易にする。
又、螺合緩み防止手段を設けることにより、本体とガスボンベとが正常な結合状態を維持できるようにする。
【００１５】
この発明は、フードの取付部に、外方変形規制手段を設け、天井面等にフードを押し付けた際、フードが必要以上に押し込まれて外れないようにする。
又、支持棒取付具に、変位範囲を規制するストッパを設けたので、該取付具は上限及び下限の範囲で変位する。そのため、支持棒や支持棒取付具が、フードやガスボンベに衝突するのを防止することができる。
【００１６】
この発明は、支持棒取付具は、略Ｖ字状の取付枠なので、従来のコ字状の取付枠の様に大きくならない。
又、ガスボンベの弁制御手段が、本体のワイヤ挿通穴を通るワイヤを備えており、該ワイヤ挿通孔が、該ワイヤ破損防止手段を備えているので、ワイヤの破損を防止できる。
【００１７】
【実施例】
本発明の実施例を図１〜図４により説明する。
本体１と、該本体１の先端部１ａに固定されるフード２０と、該本体１の底部３のに装着されるガスボンベ３０と、該本体１に回動自在に保持さる支持棒取付具４０と、を備えている。
【００１８】
本体１は、例えば、アルミニュウム若しくはその合金製の筒状体であり、噴霧室２を構成する直筒部１Ａと、該直筒部１Ａより大径のスカート部１Ｂと、前記両者１Ａ、１Ｂを連結する円錐台状部１Ｃと、から構成されている。該直筒部１Ａの下端は、底部３を構成する固定盤３ａ、３ｂにより閉じられている。
【００１９】
固定盤３ａの中央部には、断面逆Ｔ字状の貫通穴４が設けられ、この貫通穴４にはノズル固定具５が摺動可能に挿着されている。この固定具５の下端部には、ストッパフランジ５ａが設けられて、該固定具５の移動範囲を規制している。
【００２０】
この固定具５は、支持固定板６を介して支柱７に接続されている。この支柱７は、三本設けられ、その先端はノズル押下体８を支持している。この押下体８は、ナイロンなどによりリング状に形成されている。
【００２１】
ノズル押下体８には、ナイロンクリップ９を介してＷリング１０が設けられ、該Ｗリング１０には、操作ワイヤ１１が連結されている。この操作ワイヤ１１は、ステンレス製であり、本体１のワイヤ挿通孔１２を通って外部に伸び、その後端部には、例えば、丸形圧着端子１３が設けられている。
固定盤３ａには、Ｌ字状の本体補助板１４が固定盤３ｂとともに、めねじ１８ｂによって共締め固定されている。
【００２２】
ノズル固定具５には、仲介ノズル１５が嵌着されている。このノズル１５の先端部は、噴霧室２に突出しており、後端部には、ガスボンベ３０のノズル３４のノズル挿入穴１５ａが設けられている。
【００２３】
固定盤３ｂは、固定盤３ａの裏面に螺着されている。この固定盤３ｂの中央下部には、円筒壁１６が突設されているが、この円筒壁１６は前記逆Ｔ字状の貫通穴４と対向しており、その内周面にはめねじ部１６ａが設けられている。
【００２４】
ガスボンベ３０の上面中央部には、ノズル保持筒３１が設けられ、その外周面にはおねじ部３１ａが設けられている。ノズル保持筒３１の外側には、間隔をおいてガイド壁３３が立設されている。
なお、ガスボンベ３０には、図示しない弁が設けられているが、この弁は、仲介ノズル１５が押し下げられると、ノズル３４が押し下げられね開弁する。
【００２５】
本体１とガスボンベ３０のねじ部１６ａ、３１ａは、螺合緩み防止手段により緩み止めされている。この緩み防止手段として、例えば、数珠状連結具１８が用いられる。
緩み防止のために、例えば、本体１とガスボンベ３０のねじ込みをきつくすると、ノズル保持筒３１の細いところに負担がかかったり、ボンベ３９に直接止めねじを圧接するのは、ボンベを傷めたりする不具合がある。
この連結具１８の一端は、本体１の直筒部１Ａの下端にねじ１８ａ止め、その他端は、ガスボンベ３０の下端に設けた締め付けバンド１９に固定されている。
このようにすると、ガスボンベ３０を本体１に緩くねじ込んでも、緩みが進行することはなく、ガスボンベ３０側に負担がかからない。
【００２６】
フード２０は、柔らかい材料、例えば、半透明シリコンゴム、で形成され、取付部２１とジャバラ部２２とから構成されている。この取付部２１には、内周壁の係合凸部21aと、嵌着穴２３とリング状のバンド溝２４が設けられている。係合凸部21aは、本体１の先端１ａに形成された係合穴１ｂに嵌められ、嵌着穴２３には、ストッパ片１７が嵌着され、又、バンド溝２４には整線用などのバンド２５が嵌着され、締めつけられる。係合凸部21aは、バンド溝２４の背面に長く設けると係合が強まる。
【００２７】
支持棒取付具４０は、折曲帯体で形成した取付枠４１と、該取付枠４１に保持されているストッパ棒４２と、から構成されている。
取付枠４１は、本体１の直筒部１Ａに軸止される一対の平行腕４３と、支持棒５０が固着されるＶ字状腕４４と、から構成されている。
【００２８】
平行腕４３には、長穴４５が形成され、この長穴４５にストッパ棒４２が移動可能に装着され、その両端はナット４７で固定されている。このストッパ棒４２は取付枠４１の上下回動のストッパの働きをすると共に、取付枠４１の変形を防止する。
【００２９】
このストッパ棒４２は、取付枠４１の回転に伴って許容振れ角度θ回転し、該ストッパ棒４２が許容上限位置に達するとストッパ片１７に当接し、許容下限位置に達すると、直筒部１Ａに当接する。この許容振れ角度θは、必要に応じて適宜選択されるが、例えば、角度θ＝７０度が採用される。
【００３０】
Ｖ字状腕４４の固定部４４ａには、支持棒５０がねじ４６止めされている。なお、支持棒５０は、三段つなぎナットロック式で伸縮自在に構成されている。
支持棒取付具４０の取付枠４１が、ほぼＶ字状に形成されているので、この取付具の最下方に振ったときに、円筒状であるガスボンベ３０や本体１に沿うように配され、外方に出っ張らないので角がない。そのため、スリムになり、ものを傷つけなく、全体的に小型化にもなり、スリムになり、狭いところの作業性が向上する。
【００３１】
次に、本実施例の作動について説明する。
フードの装着。
フード２０の嵌着穴２３をストッパ片１７に挿入し、フードの係合凸部２１ａを本体１の係合穴１ｂ嵌め合わせ、フードの取付部２１を本体１の先端部１ａに嵌着する。前記取付部２１のバンド溝２４にバンド２５を挿入し締め付け固定する。
これにより取付部２１は、本体１に強く固定されるので、フード２０に押圧力がかかっても、取付部２１が外方に変形することがない。
【００３２】
ガスボンベの装着。
ガスボンベ３０のノズル保持筒３１を本体１の底部３のめねじ部１６ａに挿入し所定方向に回す。そうすると、両者のねじ部１６ａ、３１ａが螺合し、ガスボンベ３０は円筒壁１６に案内されながら上昇し、ガイド壁３３の上端は固定盤３ｂに当接するとともに、ノズル３４の先端部は、仲介ノズル１５のノズル挿入穴１５ａ内に挿入される。
【００３３】
この様にして、両者１、３０は、固定され一体となるが、この時、円筒壁１６はノズル保持筒３１とガイド壁３３との間に嵌合されるので、ガスボンベ３０の直径方向の変位は規制される。また、ガスボンベ３０の先端部は、スカート部１Ｂに囲まれるので、ガスボンベ３０が直径方向に変位すると、このスカート部１Ｂに当接し、それ以上の変位が許されない。
【００３４】
連結具の装着。
締付バンド１９を、ねじ込む前のガスボンベ３０の下端部に配設し、該バンドを回しながら数珠状連結具１８を引っ張り、ねじ部１６ａ、３１ａで締め付け固定した位置で該バンドを締め付け固定する。連結具１８は、ねじ部１６ａ，３１ａが締まる方向に戻るように固定する。これにより、ねじ部１６ａ、３１ａの螺合は緩みが進行することはない。
この時、連結具１８は、円錐台状部１Ｃ、スカート部１Ｂに当接するので、ガスボンベ３０に無理な力がかかるのを防止することができる。
【００３５】
支持棒の装着。
支持棒５０を支持棒取付具４０の取付枠４１の固定部４４ａにねじ４６止めする。
【００３６】
加煙試験器のセッテング。
支持棒５０を伸ばし、加煙試験器Ｓのフード２０を検査対象の煙感知器６０に向かって上昇させ、該フード２０のジャバラ部２２を天井５６に当接させ、該煙感知器６０を覆う。
【００３７】
この時、支持棒取付具４０のストッパ棒４２は、長穴４５の中を変位しながら移動するが、該取付具４０の許容移動範囲の上限に達すると、ストッパ片１７に当接し該取付具４０の移動を規制する。又、該取付具４０の許容移動範囲の下限に達すると、本体１の直筒部１Ａの外周面に当接し該取付具４０の移動を規制する。
【００３８】
このように支持棒取付具４０の移動範囲を規制しているので、支持棒５０や支持棒取付具４０がフード２０の取付部２１やガスボンベ３０に接触することがない。
又、長穴４５にしたので、移動規制範囲、即ち、振り角θ、を大きくすることができる。
【００３９】
天井５６にフード２０が圧接するとき、該取付部２１に押圧力がかかるが、該取付部２１はバンド２５により締め付け固定されているので、外方へ変形することはない。
【００４０】
ガスボンベの開弁。
支持棒５０を押し上げてノズル押下体８を煙感知器６０に押し付けると、仲介ノズル１５が降下してノズル３４を押圧する。そうすると、ガスボンベ３０の弁が開き、試験ガスが噴霧室２内に入り、フード２０内に充満し疑似火災発煙状態をなる。この状態において、煙感知器６０が作動したか否かをチェックする。
【００４１】
煙感知器６０の真下に立てず、支持棒５０をかなり傾斜しなければならない場合などには、丸形圧着端子１３、又は、端子１３から延長させたワイヤを掴み、操作ワイヤ１１を引っ張って該ノズル押下体８を下降させて開弁させる。
このとき、操作ワイヤ１１は、ワイヤ破損防止手段であるワイヤ挿通孔１２を、斜めから強い力で擦りながら摺動するが、該ワイヤ挿通孔１２は、操作ワイヤより柔らかい材料で形成されているので、該操作ワイヤ１１が破損することはない。
ワイヤ破損防止手段としては、操作ワイヤ１１の摺動部、例えば、Ｖ字状腕４４等を操作ワイヤより柔らかい材料で形成したものも含まれる。
【００４２】
該煙感知器６０の試験終了後、前記と同様の要領で、順次検査対象の煙感知器の試験を行うが、ガスボンベ３０の試験ガスがなくなったときには、締付バンド１９を緩めてガスボンベ３０を所定方向に回転させ、本体１から取り外す。
その後、新しいガスボンベを前記要領で本体１に装着する。
【００４３】
【発明の効果】
この発明は、次の様な顕著な効果を奏する。
(1)本体とガスボンベに、互いに螺合するねじ部を設けたので、一方を回すだけで簡単に他方に着脱することができる。
そのため、従来例と異なり、ボンベ取付フレームが不要となるとともに、部品点数も少なくなるので、小型軽量になり、着脱作業が簡単になる。
(2)螺合緩み防止手段を設けたので、本体とガスボンベとのねじ部の緩みが進行することがない。そのため、ガスボンベの落下事故等の発生を防止することができる。
【００４４】
(3)フードの取付部に外方変形規制手段を設けたので、フードが天井等に押し付けられても、従来例の様に、フードが拡径し、押し込まれることがない。
(4)支持棒取付具が、変位範囲規制手段を備えているので、該取付具は上限及び下限の範囲内で変位する。
そのため、支持棒や支持棒取付具がフードの取付部やガスボンベに当接することがなくなり、フードが外れたり、ボンベに強いモーメントがかかり痛めることはない。
【００４５】
(5)支持棒取付具の取付枠が、略Ｖ字状に形成されているので、該取付具を最下方に振ったときに円筒状であるガスボンベや本体に沿うように配され、外方に出っ張らないで角がない。そのため、スリムになりものを傷つけない。また、全体的な小型化も含め、スリムであるので狭いところでの作業性が向上する。
【００４６】
(6)支持棒取付具のストッパ棒が長穴で支持されているので、上下の振り角の制限を越えて支持棒の振れ角をとることができる。そのため、支持棒をより傾斜させて加煙試験ができる。
(7)ワイヤ破損防止手段を設けたので、操作ワイヤを摺動させても、ささくれなどの破損が発生しない。そのため、操作者が手などを怪我することがない。
【図面の簡単な説明】
【図１】本発明の実施例を示す平面図である。
【図２】図３の要部拡大図である。
【図３】図１の縦断面図である。
【図４】図１の側面図である。
【符号の説明】
１    本体
２    噴霧室
３    底部
８    ノズル押下体
11    操作ワイヤ
12    ワイヤ挿通孔
18    数珠状連結具
19    締付バンド
20    フード
21    取付部
30    ガスボンベ
40    支持棒取付具
41    取付枠
42    ストッパ棒
45    長穴
50    支持棒
【図１】
0004703923.tif 000002
【図２】
0004703923.tif 000003
【図３】
0004703923.tif 000004
【図４】
0004703923.tif 000005